(57)【要約】【課題】装置のコスト上昇を抑制しつつ、遠近感や奥行きのある表示を可能にすると共に、視認性の低下を防止することが可能な車両用投影表示装置を提供する。【解決手段】虚像の結像面として、第１の結像面２２（１）と第２の結像面２２（２）とを有し、前記第１の結像面がアイポイントと前記虚像とを結ぶ視線１８の方向と直交する面に対してほぼ平行に配置され、前記第２の結像面が前記アイポイントと前記虚像とを結ぶ視線１８の方向と直交する面に対して傾斜した状態で配置されている、視認性を重視する情報を平面的な像として第１の結像面２２（１）に形成し、第２の結像面２２（２）には奥行きのある遠近感のある像を形成する。【選択図】図３
2016053691.tif 000002
【特許請求の範囲】
【請求項１】
所定の表示領域に平面状に形成される任意の表示像を含む光を、投影部から出射して車両のウインドシールド、若しくはその近傍に導き、前記ウインドシールド若しくはその近傍の表面で反射した前記光の表示像が所定のアイポイントで虚像として視認できるように投影する車両用投影表示装置であって、
前記虚像の結像面として、第１の結像面と第２の結像面とを有し、
前記第１の結像面が前記アイポイントと前記虚像とを結ぶ視線の方向と直交する面に対してほぼ平行に配置され、
前記第２の結像面が前記アイポイントと前記虚像とを結ぶ視線の方向と直交する面に対して傾斜した状態で配置されている、
ことを特徴とする車両用投影表示装置。
【請求項２】
請求項１に記載の車両用投影表示装置であって、
前記第１の結像面に虚像を形成するための第１の表示パネルと、
前記第２の結像面に虚像を形成するための第２の表示パネルとを備え、
前記第１の表示パネルは、出射光の光軸に対してほぼ垂直な状態で配置され、
前記第２の表示パネルは、出射光の光軸に対して傾斜した状態で配置され、
前記投影部は、前記第１の表示パネルの出射光及び前記第２の表示パネルの出射光に基づいて、前記虚像を形成するための光を出射する、
ことを特徴とする車両用投影表示装置。
【請求項３】
請求項２に記載の車両用投影表示装置であって、
外部から表示対象情報が入力された場合に、前記表示対象情報の種別を識別し、前記表示対象情報の出力先を、前記第１の表示パネル及び前記第２の表示パネルから選択する虚像表示制御部をさらに備える、
ことを特徴とする車両用投影表示装置。
【請求項４】
請求項３に記載の車両用投影表示装置であって、
前記虚像表示制御部は、入力された前記表示対象情報に平面表示の属性が割り当てられている場合には、前記表示対象情報の出力先として前記第１の表示パネルを選択し、入力された前記表示対象情報に立体表示の属性が割り当てられている場合には、前記表示対象情報の出力先として前記第２の表示パネルを選択する、
ことを特徴とする車両用投影表示装置。
【請求項５】
請求項１に記載の車両用投影表示装置であって、
前記第２の結像面の傾斜角度を調整する傾斜調整機構をさらに備える、
ことを特徴とする車両用投影表示装置。
【請求項６】
請求項１に記載の車両用投影表示装置であって、
前記第２の結像面は、前記虚像が前記アイポイントから視た水平方向よりも下方の位置に配置されている場合に、前記アイポイントから前記虚像の下端までの距離に比べて前記虚像の上端までの距離が大きくなる方向に傾斜している、
ことを特徴とする車両用投影表示装置。
【請求項７】
請求項２に記載の車両用投影表示装置であって、
前記第２の表示パネルは、透過型の表示デバイスであり、
前記第２の表示パネルの背面側に配置された照明用のバックライトをさらに備える、
ことを特徴とする車両用投影表示装置。
【発明の詳細な説明】
【技術分野】
【０００１】
本発明は、車両において運転者の前方にあるウインドシールド（窓ガラス）等の光反射を利用して表示を行う車両用投影表示装置に関する。
【背景技術】
【０００２】
例えば、一般的な車両用のヘッドアップディスプレイ（ＨＵＤ）装置においては、表示すべき様々な情報を含む光の像をＨＵＤユニットからフロントウインドシールド、又はコンバイナと呼ばれる反射板に投影し、フロントウインドシールド等で反射した光が運転者の視点の方向に向かうように光路を形成する。したがって、運転者は、フロントウインドシールドを通して車両の前方の風景を視認しながら、同時にフロントウインドシールド等に映るＨＵＤの表示を虚像として視認することができる。つまり、運転者は通常の運転状態を維持したまま、視線を移動することなしに様々な情報をＨＵＤの表示により視認することができる。
【０００３】
本発明と関連のある従来技術が例えば特許文献１〜特許文献４に示されている。
特許文献１では、遊技機の表示画面において、疑似立体表示を行うために、文字パターン等の表示領域に隣接する背景領域に陰影を表示させている。
【０００４】
特許文献２では、疑似立体表示を可能にするために、表示部と、その表示部に表示された映像を観察位置に向けて反射するミラーと、そのミラーの角度を変化させる角度可変手段とを備えている。
【０００５】
特許文献３では、奥行き方向の適正な配置位置に容易に取り付けることが可能な車両用表示装置（ＨＵＤ装置）を示している。
【０００６】
特許文献４は、ＨＵＤ装置において、独立した右目用ディスプレイおよび左目用ディスプレイを用いて、右目用虚像と左目用虚像とをそれぞれ表示して、立体像を表示させることを示している。
【先行技術文献】
【特許文献】
【０００７】
【特許文献１】特開平１１−４７３７４号公報
【特許文献２】特開２００９−１４５８２９号公報
【特許文献３】特開２０１３−２４１０３５号公報
【特許文献４】特開２０１４−１０４１８号公報
【発明の概要】
【発明が解決しようとする課題】
【０００８】
車両用のＨＵＤにおいては、虚像として投影される表示像と、車外の実際の風景とが重なった状態で表示されるのが一般的である。この場合、ＨＵＤが表示する表示像は平面的な像であるため、立体的な風景と、平面的な像とが同じ位置で重なって多少不自然な状態で運転者に視認される。具体的には、遠近感のある風景と、遠近感のない表示像とが重なるので、運転者が風景及び表示像のいずれかを視認する際に、目の焦点を調節しにくい状況になる。また、風景及び表示像の距離感の違いにより運転者が違和感を感じる可能性がある。また、実際の風景における遠近感と、表示内容の状況とが一致しない場合には、運転者が表示内容から現在の状況を直感的に把握するのは難しい。更に、平面的な表示の場合には、ユーザに対して安っぽい印象を与える可能性が高く、装置の価値を下げることに繋がってしまう。
【０００９】
もしも、ＨＵＤの表示像を遠近感をもって表示できれば、上記のような問題を解消又は緩和できると考えられる。しかしながら、特許文献４のような技術を採用する場合には、複数のディスプレイが必要になるので、装置のコストが大幅に上昇するのは避けられない。また、特許文献３の技術では、表示位置の前後方向の調節が可能であるが遠近感をもった表示はできない。また、特許文献２の技術では、ミラーの角度の変化に伴って像を表示する位置が大きく移動してしまうので、表示像の位置を固定することができない。また、特許文献１の技術では、背景の濃淡を用いた擬似的な立体表示であり、視認する目の位置から像までの距離は一定であるので、実際には遠近感が得られない。
【００１０】
更に、擬似的な立体表示パターンを精密に表示するためには、事前に決定した様々な表示パターンのデータを保持するために大容量の記憶装置を必要としたり、立体像を二次元座標上に描画するために高性能のグラフィック表示用プロセッサを必要とするので、装置のコストが大幅に上昇するのは避けられない。
【００１１】
また、ＨＵＤで虚像を表示する場合に、必ずしも遠近感をもった表示が良いとは限らない。例えば、スピードメータを表示するような場合には、運転者が車速の数値を瞬時に読み取れることが望ましいが、数値を遠近感をもって表示した場合には、視認性が低下して数値の読み取りに要する時間が長くなる可能性も考えられる。
【００１２】
本発明は、上述した事情に鑑みてなされたものであり、その目的は、装置のコスト上昇を抑制しつつ、遠近感や奥行きの表示を可能にすると共に、視認性の低下を防止することが可能な車両用投影表示装置を提供することにある。
【課題を解決するための手段】
【００１３】
前述した目的を達成するために、本発明に係る車両用投影表示装置は、下記（１）〜（７）を特徴としている。
（１）  所定の表示領域に平面状に形成される任意の表示像を含む光を、投影部から出射して車両のウインドシールド、若しくはその近傍に導き、前記ウインドシールド若しくはその近傍の表面で反射した前記光の表示像が所定のアイポイントで虚像として視認できるように投影する車両用投影表示装置であって、
前記虚像の結像面として、第１の結像面と第２の結像面とを有し、
前記第１の結像面が前記アイポイントと前記虚像とを結ぶ視線の方向と直交する面に対してほぼ平行に配置され、
前記第２の結像面が前記アイポイントと前記虚像とを結ぶ視線の方向と直交する面に対して傾斜した状態で配置されている、
ことを特徴とする車両用投影表示装置。
（２）  上記（１）の構成の車両用投影表示装置であって、
前記第１の結像面に虚像を形成するための第１の表示パネルと、
前記第２の結像面に虚像を形成するための第２の表示パネルとを備え、
前記第１の表示パネルは、出射光の光軸に対してほぼ垂直な状態で配置され、
前記第２の表示パネルは、出射光の光軸に対して傾斜した状態で配置され、
前記投影部は、前記第１の表示パネルの出射光及び前記第２の表示パネルの出射光に基づいて、前記虚像を形成するための光を出射する、
ことを特徴とする車両用投影表示装置。
（３）  上記（２）の構成の車両用投影表示装置であって、
外部から表示対象情報が入力された場合に、前記表示対象情報の種別を識別し、前記表示対象情報の出力先を、前記第１の表示パネル及び前記第２の表示パネルから選択する虚像表示制御部をさらに備える、
ことを特徴とする車両用投影表示装置。
（４）  上記（３）の構成の車両用投影表示装置であって、
前記虚像表示制御部は、入力された前記表示対象情報に平面表示の属性が割り当てられている場合には、前記表示対象情報の出力先として前記第１の表示パネルを選択し、入力された前記表示対象情報に立体表示の属性が割り当てられている場合には、前記表示対象情報の出力先として前記第２の表示パネルを選択する、
ことを特徴とする車両用投影表示装置。
（５）  上記（１）の構成の車両用投影表示装置であって、
前記第２の結像面の傾斜角度を調整する傾斜調整機構をさらに備える、
ことを特徴とする車両用投影表示装置。
（６）  上記（１）の構成の車両用投影表示装置であって、
前記第２の結像面は、前記虚像が前記アイポイントから視た水平方向よりも下方の位置に配置されている場合に、前記アイポイントから前記虚像の下端までの距離に比べて前記虚像の上端までの距離が大きくなる方向に傾斜している、
ことを特徴とする車両用投影表示装置。
（７）  上記（２）の構成の車両用投影表示装置であって、
前記第２の表示パネルは、透過型の表示デバイスであり、
前記第２の表示パネルの背面側に配置された照明用のバックライトをさらに備える、
ことを特徴とする車両用投影表示装置。
【００１４】
上記（１）の構成の車両用投影表示装置によれば、前記第１の結像面の表示と、前記第２の結像面の表示とを必要に応じて使い分けることができる。前記第１の結像面の表示については、遠近感や奥行きのない表示であるため、より視認性の高い表示が可能になる。また、前記第２の結像面については、視線の方向と直交する面に対して傾斜しているので、運転者の視点の位置に相当するアイポイントと前記虚像との間の距離に、前記虚像の下端と上端とで違いが生じる。つまり、特別な立体像を表示しなくても、前記虚像上の領域毎に、上下位置の違いに応じた遠近感や奥行きが発生する。この虚像上の遠近感を、実際の風景における遠近感に合わせることも可能である。
上記（２）の構成の車両用投影表示装置によれば、前記第１の表示パネルを用いて前記第１の結像面に虚像を形成し、前記第２の表示パネルを用いて前記第２の結像面に虚像を形成することができる。また、前記第２の表示パネルについては、面に垂直な方向に対して傾斜した方向の光を利用して前記虚像を形成するので、前記第２の結像面が、視線の方向と直交する面に対して傾斜するように配置することができる。つまり、前記第２の表示パネルを傾斜状態で配置することにより、前記虚像の結像面も傾斜させることができる。
上記（３）の構成の車両用投影表示装置によれば、像の視認性の向上、奥行きの必要性の有無等を考慮して、前記第１の結像面又は前記第２の結像面に望ましい状態で虚像が表示されるように、自動的に調整することができる。
上記（４）の構成の車両用投影表示装置によれば、立体表示を必要としない情報は前記第１の表示パネルを用いて表示し、立体表示を必要とする情報は前記第２の表示パネルを用いて表示することように、自動的に出力先を選択することができる。
上記（５）の構成の車両用投影表示装置によれば、立体表示する虚像の遠近感や奥行きを必要に応じて調整することができ、虚像を背景の風景と適合するように調整したり、ユーザの好みに合わせることが可能になる。
上記（６）の構成の車両用投影表示装置によれば、傾斜している前記虚像上の上下方向の遠近感の違いが、前記アイポイントから道路の路面等を視た場合の遠近感の違いと近い状態になる。これにより、運転者が感じる違和感を解消することができ、位置の違いによる目の焦点調節も容易になる。
上記（７）の構成の車両用投影表示装置によれば、前記バックライトを用いて背面側から前記第２の表示パネルを照明することにより、傾斜軸の方向に対しても十分に大きい光量の光を出射することが可能になる。
【発明の効果】
【００１５】
本発明の車両用投影表示装置によれば、装置のコスト上昇を抑制しつつ、遠近感や奥行きの表示を可能にすると共に、視認性の低下を防止することが可能になる。すなわち、格別に立体像を形成しなくても、遠近感や奥行きを有する虚像を表示できるし、視認性の向上のために平面的な表示に切り替えることも容易である。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、車両用投影表示装置を搭載した車両を側方から視た状態の各部の光路を示す光路図である。
【図２】図２（Ａ）及び図２（Ｂ）は図１の車両用投影表示装置における２つの二次元表示パネルの配置状態を示し、図２（Ａ）は正面図、図２（Ｂ）は側面図である。
【図３】図３（Ａ）及び図３（Ｂ）は図１の車両用投影表示装置における２つの虚像結像面の配置状態を示し、図３（Ａ）は視点側から視た正面図、図３（Ｂ）は側面図である。
【図４】図４は、車両の運転者が視認可能な車両前方の風景及び表示される虚像の具体例を示す正面図である。
【図５】図５は、図１の車両用投影表示装置に利用可能な二次元表示パネル及びその周辺部の構成例（１）を示す側面図である。
【図６】図６は、図１の車両用投影表示装置に利用可能な二次元表示パネル及びその周辺部の構成例（２）を示す側面図である。
【図７】図７は、車両用投影表示装置を含むシステムの構成例を表すブロック図である。
【図８】図８は、車両用投影表示装置の主要な動作を表すフローチャートである。
【図９】図９（Ａ）は、左側に配置された二次元表示パネルの画面に表示する像の具体例を表す正面図、図９（Ｂ）は、右側に配置された二次元表示パネルの画面に表示する像の具体例を表す正面図、図９（Ｃ）は、２つの虚像結像面に投影される虚像を視点側から視た具体例を示す正面図である。
【発明を実施するための形態】
【００１８】
本発明の車両用投影表示装置に関する具体的な実施の形態について、各図を参照しながら以下に説明する。
【００１９】
＜車両用投影表示装置の概要＞
本発明の実施形態の車両用投影表示装置を搭載した車両を側方から視た状態の各部のレイアウト及び光路の概要を図１に示す。また、本実施形態の車両用投影表示装置は、ヘッドアップディスプレイ（ＨＵＤ）を構成している。
【００２０】
図１に示したＨＵＤユニット１０は、車両の運転席の前方に配置されたダッシュボードの内側に組み込まれている。ＨＵＤユニット１０の内部には、二次元表示パネル１１及び反射鏡１５が備わっている。二次元表示パネル１１は、数値、文字、図形など様々なパターンの可視情報を必要に応じて表示することが可能な画面を有している。具体例としては、現在の車両のスピードメータの表示値を表す数値や「ｋｍ／ｈ」等の文字を画面に表示することができる。また、二次元表示パネル１１は、画面に表示した可視情報を含む光を出射光１３として出射することができる。
【００２１】
二次元表示パネル１１からの出射光１３は、反射鏡１５に向かい、更に反射鏡１５の表面で反射して上方に向かう出射光１６としてＨＵＤユニット１０の開口部（図示せず）から出射される。反射鏡１５は拡大光学系を形成する。ＨＵＤユニット１０から出射された出射光１６は、車両のウインドシールド（窓ガラス）１７のある領域１７ａで反射され、視点ＥＰに向かう。
【００２２】
したがって、車両の運転者等が視点ＥＰの位置から視線１８の方向を視た場合には、ウインドシールド１７の領域１７ａの前方の位置で虚像２１を視認することができる。すなわち、二次元表示パネル１１の画面に表示された可視像の内容と同じ像が、虚像２１として虚像結像面２２の位置に結像する。
【００２３】
したがって、車両の運転者は、視点ＥＰの位置から視線１８の方向を視た場合に、車両外の風景（道路の路面や自車のボンネットなど）と位置が重なった状態で、ＨＵＤユニット１０の表示像である虚像２１を視認することができる。
【００２４】
図１に示した構成において特徴的な事項の１つは、虚像結像面２２の向きが可変であり、回動軸２２ｃを中心として虚像結像面２２の向きが変化することである。したがって、視線１８と直交する向きに対して傾斜するように虚像結像面２２を配置することもできる。
【００２５】
また、虚像結像面２２の向きを可変にするために、図１に示した二次元表示パネル１１は、中央付近に配置した回動軸１１ｃを中心として回動自在に支持されている。また、この二次元表示パネル１１には傾斜調整機構５５が連結されている。この傾斜調整機構５５は、後述する電気モータの駆動力により傾斜調整機構５５を動かし、二次元表示パネル１１の面の向きを様々な方向に必要に応じて位置決めすることができる。尚、傾斜調整機構５５については、回転方向に動く機構でも良いし、直線的に移動するリンク機構であっても良い。二次元表示パネル１１を傾斜した状態で配置することにより、虚像結像面２２を傾斜させることができる。また、二次元表示パネル１１が傾斜している場合には、出射光１３の光軸も、二次元表示パネル１１の面に垂直な方向に対して傾斜する。
【００２６】
＜実際の表示パネル及び虚像結像面の配置状態＞
本実施形態の車両用投影表示装置においては、独立した２画面の表示を可能にするために、図１の二次元表示パネル１１として、独立した２枚の二次元表示パネル１１（１）及び１１（２）を備えている。二次元表示パネル１１（１）及び１１（２）の配置状態を図２に示す。図２（Ａ）は正面図、図２（Ｂ）は側面図である。
【００２７】
また、２枚の二次元表示パネル１１（１）及び１１（２）が存在するので、図１中の虚像結像面２２についても２つの独立した虚像結像面２２（１）及び２２（２）が存在している。虚像結像面２２（１）及び２２（２）の配置状態を図３に示す。図３（Ａ）は視点側から視た正面図、図３（Ｂ）は側面図である。
【００２８】
図２（Ａ）に示すように、２枚の二次元表示パネル１１（１）及び１１（２）は横方向（Ｘ方向）に隣接する状態で並んで配置されている。また、図２（Ｂ）に示すように一方の二次元表示パネル１１（１）の面は、光軸の向き（Ｚ方向）に対して垂直な方向に向けて配置してあり、他方の二次元表示パネル１１（２）の面は、光軸の向きと直交する面に対して角度θだけ傾斜して配置されている。
【００２９】
また、図３（Ａ）に示すように、２つの虚像結像面２２（１）及び２２（２）は横方向（Ｘ方向）に隣接する状態で並んで配置されている。また、図３（Ｂ）に示すように一方の虚像結像面２２（１）は、視線１８の向きに対して垂直な方向に向けて配置してあり、他方の虚像結像面２２（２）は、視線１８の向きと直交する面に対して角度θだけ傾斜して配置されている。虚像結像面２２（１）は二次元表示パネル１１（１）の表示内容に対応する光像が結像する面であり、虚像結像面２２（２）は二次元表示パネル１１（２）の表示内容に対応する光像が結像する面である。
【００３０】
本実施形態では、二次元表示パネル１１（１）の向きは固定である。また、図１に示した傾斜調整機構５５が二次元表示パネル１１（２）に連結されているので、二次元表示パネル１１（２）の傾斜角度θは、必要に応じて変更することができる。また、虚像結像面２２（１）は視線１８の方向と直交する向きに固定されており、虚像結像面２２（２）の傾斜角度θについては二次元表示パネル１１（２）の傾斜状態に対応して変化する。
【００３１】
＜運転者の視認状況の具体例＞
車両の運転者が視認可能な車両前方の風景及び表示される虚像の具体例を図４に示す。すなわち、車両の運転席に着座した状態の運転者は、例えば図４に示すような風景３０を透明なウインドシールド１７を介して視認することができる。また、図１のＨＵＤユニット１０を搭載した車両の場合には、例えば図４に示すＨＵＤ表示領域２０の位置に表示される虚像２１も同時に視認することができる。
【００３２】
＜風景の視認状況＞
図４に示すように、運転者が視認する風景３０には、路面３０ａ、路面上の車線標示３０ｂなどが含まれており、これらの風景３０は道路上の前方にある無限遠点３１に向かって収束するような状況として視認される。例えば、運転者が視認する領域の下端から無限遠点３１に対応する上下方向の位置Ｙｃまでの範囲の領域Ａ１においては、上に向かうに従って、路面３０ａ及び車線標示３０ｂの幅が小さくなる。つまり、上に向かうに従って、対象物までの距離が遠くなっていることが分かる。また、上下方向の位置Ｙｃから上端までの範囲の領域Ａ２では、下に向かうに従って、対象物までの距離が遠くなっていることが分かる。尚、無限遠点３１は、通常の状態では運転者が視点ＥＰから水平方向前方を視た場合の遠方に位置している。
【００３３】
＜虚像の視認状況＞
図１に示した虚像結像面２２が、視線１８の方向と直交する面に対して傾斜している状況では、図４に示したように、虚像２１が表示されるＨＵＤ表示領域２０は、台形のような形状を呈する。図４の例では、領域上端２０ａのＸ方向の幅は、領域下端２０ｂの幅よりも小さくなっている。したがって、ＨＵＤ表示領域２０の形状は、無限遠点３１に向かって収束する風景３０の距離感と同じような距離感を運転者に与えることになる。
【００３４】
実際には、図４に示すＨＵＤ表示領域２０は、図３（Ａ）、（Ｂ）に示した虚像結像面２２（２）に相当する。つまり、図３（Ａ）、（Ｂ）のように虚像結像面２２（２）が傾斜している場合には、視点ＥＰからＨＵＤ表示領域２０の領域上端２０ａまでの距離は、領域下端２０ｂまでの距離よりも大きい。したがって、視点ＥＰから視て領域上端２０ａは領域下端２０ｂよりも遠方の位置にあり、傾斜しているＨＵＤ表示領域２０に結像される虚像２１は、現実に遠近感や奥行きを与えることができる。
【００３５】
しかも、虚像結像面２２の傾きにより形成される虚像２１上の遠近感と、その近傍の風景３０の遠近感とが同じ方向に現れる。つまり、虚像２１と風景３０は、共に無限遠点３１の位置に近づくに従って遠方であることを感じさせる状態になり、視覚上の違和感が生じにくいし、運転者の目の焦点調節も容易になる。
【００３６】
＜二次元表示パネル１１の構成例（１）＞
図１の車両用投影表示装置に利用可能な二次元表示パネル及びその周辺部の構成例（１）を図５に示す。
【００３７】
図５に示した構成においては、前述の二次元表示パネル１１（２）として、透過型液晶表示パネル１１Ａを採用している。また、透過型液晶表示パネル１１Ａの背面側にバックライト１２を配置している。
【００３８】
図５に示した例では、前述の傾斜調整機構５５により、平板形状の透過型液晶表示パネル１１Ａの面は、縦方向（Ｙ軸）に対して所定角度θだけ傾斜した状態で位置決めされている。バックライト１２は、Ｚ軸方向に向けて照明光１２ａを照射する。照明光１２ａとしては例えば白色光を用いる。照明光１２ａは、透過型液晶表示パネル１１Ａを透過する際に、表示像１１ａの内容に従って濃淡や色彩が変調され、出射光１３としてＺ方向に出射される。
【００３９】
図５のように透過型液晶表示パネル１１Ａが傾斜している場合には、表示像１１ａ上の互いに異なる位置の点Ｐ１、Ｐ２、Ｐ３は、Ｚ軸方向に互いにずれた位置に存在している。つまり、点Ｐ１の座標（ｙ１，ｚ１）、点Ｐ２の座標（ｙ２，ｚ２）、点Ｐ３の座標（ｙ３，ｚ３）の間には光軸方向（Ｚ方向）の位置の違いがある。
【００４０】
したがって、例えば図１の虚像２１を表示する場合の光源となる各点Ｐ１、Ｐ２、Ｐ３のＺ方向の位置の違いによって、虚像結像面２２（２）は透過型液晶表示パネル１１Ａと同様に傾斜した状態になる。つまり、透過型液晶表示パネル１１Ａを傾斜した状態で配置すると共に、透過型液晶表示パネル１１Ａの面と垂直な方向に対し傾斜した方向（Ｚ）に出射光１３を出射することにより、虚像結像面２２（２）が傾斜した状態になるように、虚像２１を表示することができる。また、透過型液晶表示パネル１１Ａの傾斜角度（θ）を調整することにより、虚像２１の奥行きを変更することができる。
【００４１】
＜二次元表示パネル１１の構成例（２）＞
図１の車両用投影表示装置に利用可能な二次元表示パネル及びその周辺部の構成例（２）を図６に示す。
【００４２】
図６に示した構成においては、前述の二次元表示パネル１１（２）として、自発光型表示パネル１１Ｂを採用している。具体的には、自発光型表示パネル１１Ｂとして有機ＥＬ表示パネルを利用できる。図５に示した構成と同様に、平面形状の自発光型表示パネル１１Ｂの面は、縦方向（Ｙ軸）に対して所定角度θだけ傾斜した状態で位置決めされている。
【００４３】
また、図６の構成では自発光型表示パネル１１Ｂの前面側に光学フィルタ１４を配置してある。光学フィルタ１４は、表示像１１ａからＺ軸方向に向かう出射光１３を得るために必要な機能を提供する。具体例としては、光学フィルタ１４に方向選択性を有する光学部材を用いて、Ｚ方向に向かう光を透過し、Ｚ方向以外の光は遮光する特性を持たせる。これにより、出射光１３以外の余分な光が反射鏡１５に向かうのを防止できる。
【００４４】
また、自発光型表示パネル１１Ｂにおける表示視野角が比較的狭い場合には、光を屈折する光学材料を光学フィルタ１４に用いて、自発光型表示パネル１１Ｂからの光の出射方向が最大になる方向（一般的には面に垂直な方向）が傾斜して、Ｚ方向を向くように光を屈折させる。これにより、出射光１３の光量を増やすことができ、虚像２１の視認性が改善される。
【００４５】
なお、自発光型表示パネル１１Ｂの面がＹ軸と平行な向きを向くように位置決めする時には、光学フィルタ１４の影響による出射光１３の減衰を避けるために、光学フィルタ１４を自発光型表示パネル１１Ｂの面と対向する位置からずらすか、或いは光学フィルタ１４の向きを調整する必要がある。
【００４６】
なお、二次元表示パネル１１（１）についても、二次元表示パネル１１（２）と同様に構成することができる。但し、二次元表示パネル１１（１）については出射する光の光軸を面に対して傾斜させる必要がないので、一般的な構成の二次元表示パネルをそのまま利用可能である。
【００４７】
＜システムの構成例＞
図１に示した車両用投影表示装置を含むシステムの構成例を図７に示す。図７に示したシステムは、ＨＵＤユニット１０以外に、車両上に搭載されているメータユニット１００及びカーナビゲーション装置２００を備えている。
【００４８】
メータユニット１００は、スピードメータを代表とする様々な計器や、様々な表示器を内蔵している。例えば、図７のＨＵＤユニット１０が虚像２１として車速を表示する場合には、メータユニット１００が出力する車速の情報がＨＵＤユニット１０に入力される。
【００４９】
カーナビゲーション装置２００は、自車両の現在位置を把握し、現在位置を含む地図を所定の画面上に表示したり、事前に決定した移動経路に沿って走行するように、運転者を誘導することができる。また、ターンバイターンの誘導機能を搭載している。例えば、自車両の現在位置が移動経路上の交差点などに接近した時には、進行方向を音声や矢印表示などで報知することができる。ターンバイターンの誘導機能により、左折や右折の誘導を行う場合には、図７のカーナビゲーション装置２００は、左折表示や右折表示の情報をＨＵＤユニット１０に出力する。
【００５０】
図７に示したＨＵＤユニット１０は、表示制御部５１、不揮発性メモリ５２、モータドライバ５３、電気モータ５４、及び傾斜調整機構５５を備えている。
【００５１】
表示制御部５１は、マイクロコンピュータにより構成されており、事前に組み込まれたプログラムを実行することにより、ＨＵＤユニット１０に必要とされる様々な制御機能を実現することができる。また、表示制御部５１はメータユニット１００及びカーナビゲーション装置２００との間でデータ通信を行うことができる。
【００５２】
不揮発性メモリ５２は、二次元表示パネル１１（１）及び１１（２）の画面に表示する様々な表示パターンの固定データや、表示制御部５１の制御に必要な様々な定数のデータを予め保持している。例えば、カーナビゲーション装置２００の出力に従ってＨＵＤユニット１０が右折の誘導表示を行う場合には、表示制御部５１が右折の誘導表示パターンを不揮発性メモリ５２から読み出して、二次元表示パネル１１の画面上に図９（Ｂ）のように表示する。
【００５３】
表示制御部５１は、二次元表示パネル１１（２）の面の傾斜角度を調整する必要がある場合には、モータドライバ５３を介して電気モータ５４を駆動する。これにより、電気モータ５４に連結された傾斜調整機構５５が動き、二次元表示パネル１１の傾斜角度が変化する。
【００５４】
＜特徴的な制御動作の説明＞
図１に示した車両用投影表示装置の特徴的な主要な動作の制御手順を図８に示す。すなわち、図７に示した表示制御部５１が例えば定期的に図８の処理を実行することにより、特徴的な制御を実現することができる。図８の処理の内容について以下に説明する。
【００５５】
ステップＳ１１では、表示制御部５１はＨＵＤ表示の更新指示の有無を識別する。例えば、二次元表示パネル１１（１）及び１１（２）の画面上に現在表示している情報よりも表示優先度の高い表示情報がメータユニット１００又はカーナビゲーション装置２００から入力された場合には、更新指示ありとみなして次のＳ１２に進む。
【００５６】
ステップＳ１２では、表示制御部５１は表示するパターン（像）の属性が立体像か否かを識別する。
【００５７】
平面像として表示する方が望ましいパターン、例えば車速を表す数値のデータに対しては平面像の属性を与え、立体像として表示する方が望ましいパターン、例えば右折や左折の誘導のための矢印パターンには立体像の属性を与える。そして、このような属性のデータは事前に決定し不揮発性メモリ５２に登録しておく。或いは、メータユニット１００やカーナビゲーション装置２００が属性情報を含む表示情報をＨＵＤユニット１０に送信する。
【００５８】
したがって、表示制御部５１は不揮発性メモリ５２の内容を参照することにより、或いは外部から入力された属性情報を参照することにより、属性を識別できる。立体像の属性を有するパターンのデータを表示する場合はＳ１３に進み、平面像の属性を有するパターンのデータを表示する場合はＳ１４に進む。
【００５９】
ステップＳ１３では、表示制御部５１は、メータユニット１００又はカーナビゲーション装置２００から入力された表示対象情報の表示先として、傾斜している二次元表示パネル１１（２）を選択し、不揮発性メモリ５２から読み出した表示パターンを二次元表示パネル１１（２）の画面に描画する。
【００６０】
ステップＳ１４では、表示制御部５１は、メータユニット１００又はカーナビゲーション装置２００から入力された表示対象情報の表示先として、垂直方向に配置された二次元表示パネル１１（１）を選択し、不揮発性メモリ５２から読み出した表示パターンを二次元表示パネル１１（１）の画面に描画する。
【００６１】
＜具体的な表示例の説明＞
ＨＵＤユニット１０が二次元表示パネル１１（１）及び１１（２）の画面に表示する像の具体例を図９（Ａ）及び図９（Ｂ）にそれぞれ示す。また、虚像結像面２２（１）及び２２（２）に結像した各虚像２１を視点ＥＰ側から視た視認状態を図９（Ｃ）に示す。
【００６２】
例えば、ＨＵＤユニット１０の表示制御部５１にメータユニット１００からスピードメータの車速情報「１０５ｋｍ／ｈ」が入力された場合に、この車速情報に平面像の属性が割り当てられている時には、図８のＳ１４の実行により、「１０５ｋｍ／ｈ」の表示パターンが図９（Ａ）のように二次元表示パネル１１（１）の画面に表示される。
【００６３】
また、ＨＵＤユニット１０の表示制御部５１に、カーナビゲーション装置２００から右折誘導表示の命令が入力された場合に、この命令に立体像の属性が割り当てられている時には、図８のＳ１３の実行により、右折矢印パターンが図９（Ｂ）のように二次元表示パネル１１（２）の画面に表示される。
【００６４】
上記の状況においては、二次元表示パネル１１（１）の画面に表示した「１０５ｋｍ／ｈ」の表示パターンが虚像結像面２２（１）に虚像２１として表示され、二次元表示パネル１１（２）の画面に表示した右折矢印パターンが虚像結像面２２（２）に虚像２１として表示される。したがって、視点ＥＰの位置で虚像２１を視認する運転者は、図９（Ｃ）に示すような虚像２１を視認することになる。
【００６５】
つまり、虚像結像面２２（１）は視線１８と直交する方向に配置されているので、虚像結像面２２（１）の虚像２１（１）は二次元表示パネル１１（１）の画面表示と同様に平面的な表示形態で表示される。また、虚像結像面２２（２）は視線１８と直交する方向に対して傾斜した状態で配置されているので、虚像結像面２２（２）の虚像２１（２）は二次元表示パネル１１（２）の画面表示とは少し異なり、実際に奥行きを有する遠近感をもった表示形態で表示される。
【００６６】
図９（Ｃ）に示す虚像２１（１）のように、車速などの数値情報に関しては、平面的な像として表示することにより、数値の読み取りに関する視認性が向上し、運転者は瞬時に数値を読み取ることが可能になる。
【００６７】
また、図９（Ｃ）に示す虚像２１（２）のように、矢印や図形などのパターンに関しては、奥行きや遠近感を有する形態で表示することにより、背景の路面等の視認状況と奥行きが一致するように表示することができる。これにより、運転者が感じる視覚上の違和感を解消したり、高級感を演出することも可能になる。しかも、図９（Ｂ）に示すような平面パターンを画面に描画するだけで、図９（Ｃ）に示す虚像２１（２）のような奥行きのある表示を実現できる。
【００６８】
つまり、複数の二次元表示パネル１１（１）及び１１（２）を用いて、これらの表示画面を使い分けることにより、視認性を重視した平面的な虚像２１（１）と、奥行きのある虚像２１（２）とを選択的に表示することが可能になる。また、図８に示した制御を実施することにより、表示する情報を２つの画面に自動的に振り分けて表示することができる。
【００６９】
＜上記以外の変形の可能性＞
二次元表示パネル１１については、透過型、自発光型の他に反射型の表示パネルを利用することも可能である。
【００７０】
図４に示した例では、ＨＵＤ表示領域２０と風景３０との位置が重なるように配置してあるが、ウインドシールド１７と隣接する箇所、例えばダッシュボード上などにコンバイナ（反射板）を配置し、コンバイナの領域に虚像２１が映るようにレイアウトを変更しても良い。
【００７１】
図４に示した例では、ＨＵＤ表示領域２０が無限遠点３１と対応する位置Ｙｃよりも下方に位置しているので、領域上端２０ａが領域下端２０ｂよりも遠方に配置されるように虚像結像面２２の傾斜方向を定めてある。したがって、ＨＵＤ表示領域２０が位置Ｙｃよりも上方に配置される場合には、反対に領域下端２０ｂが領域上端２０ａよりも遠方に配置されるように虚像結像面２２の傾斜を定めることが想定される。
【００７２】
図８に示した処理においては、二次元表示パネル１１（１）及び１１（２）の向きを変更していないが、表示するパターンの種類に応じて、或いは虚像２１を表示する領域と重なる風景の状況に応じて、二次元表示パネル１１（２）を様々な傾斜角度の位置に自動的に調整することも考えられる。また、ユーザの入力を受け付けるボタンなどを用いた手動調整指示により、二次元表示パネル１１（２）及び虚像結像面２２（２）の傾斜角度を、ユーザの好みに合わせて微調整できるように構成しても良い。
【００７３】
また、図３（Ａ）、（Ｂ）に示した例では２つの虚像結像面２２（１）、２２（２）を互いに隣接する状態で横方向に並べて配置してあるが、虚像結像面２２（１）、２２（２）を縦方向に並べても良い。また、２つの虚像結像面２２（１）、２２（２）を互いに距離の離れた場所に配置することも考えられる。
【００７４】
また、二次元表示パネル１１（２）と同様に、二次元表示パネル１１（１）の向きも調整できるように構成しても良い。その場合は、二次元表示パネル１１（１）と二次元表示パネル１１（２）の傾斜角度をそれぞれ独立して制御することにより、２つの虚像結像面２２（１）、２２（２）の傾斜角度をそれぞれ異なる状態にすることができる。例えば、図４に示す領域Ａ１に虚像結像面２２（１）を配置し、領域Ａ２に虚像結像面２２（２）を配置した場合であっても、それぞれの領域において、風景３０の状態と一致するように奥行きのある虚像２１を表示することができる。
【００７５】
ここで、上述した本発明に係る車両用投影表示装置の実施形態の特徴をそれぞれ以下（１）〜（７）に簡潔に纏めて列記する。
（１）  所定の表示領域に平面状に形成される任意の表示像を含む光を、投影部から出射して車両のウインドシールド（１７）、若しくはその近傍に導き、前記ウインドシールド若しくはその近傍の表面で反射した前記光の表示像が所定のアイポイント（視点ＥＰ）で虚像として視認できるように投影する車両用投影表示装置であって、
前記虚像の結像面（虚像結像面２２）として、第１の結像面（２２（１））と第２の結像面（２２（２））とを有し、
前記第１の結像面が前記アイポイントと前記虚像（２１）とを結ぶ視線（１８）の方向と直交する面に対してほぼ平行に配置され、
前記第２の結像面が前記アイポイントと前記虚像とを結ぶ視線の方向と直交する面に対して傾斜した状態で配置されている（図１、図３参照）、
ことを特徴とする車両用投影表示装置。
（２）  上記（１）に記載の車両用投影表示装置であって、
前記第１の結像面に虚像を形成するための第１の二次元表示パネル（１１（１））と、
前記第２の結像面に虚像を形成するための第２の二次元表示パネル（１１（２））とを備え、
前記第１の二次元表示パネルは、出射光の光軸に対してほぼ垂直な状態で配置され、
前記第２の二次元表示パネルは、出射光の光軸に対して傾斜した状態で配置され、
前記投影部は、前記第１の二次元表示パネルの出射光及び前記第２の二次元表示パネルの出射光に基づいて、前記虚像を形成するための光を出射する（図２参照）、
ことを特徴とする車両用投影表示装置。
（３）  上記（２）に記載の車両用投影表示装置であって、
外部から表示対象情報が入力された場合に、前記表示対象情報の種別を識別し、前記表示対象情報の出力先を、前記第１の二次元表示パネル及び前記第２の二次元表示パネルから選択する（Ｓ１２〜Ｓ１４）虚像表示制御部（表示制御部５１）をさらに備える（図７、図８参照）、
ことを特徴とする車両用投影表示装置。
（４）  上記（３）に記載の車両用投影表示装置であって、
前記虚像表示制御部は、入力された前記表示対象情報に平面表示の属性が割り当てられている場合には、前記表示対象情報の出力先として前記第１の二次元表示パネルを選択し、入力された前記表示対象情報に立体表示の属性が割り当てられている場合には、前記表示対象情報の出力先として前記第２の二次元表示パネルを選択する（Ｓ１２〜Ｓ１４）、
ことを特徴とする車両用投影表示装置。
（５）  上記（１）に記載の車両用投影表示装置であって、
前記第２の結像面の傾斜角度を調整する傾斜調整機構（５５）をさらに備える、
ことを特徴とする車両用投影表示装置。
（６）  上記（１）に記載の車両用投影表示装置であって、
前記第２の結像面（２２（２））は、前記虚像が前記アイポイントから視た水平方向よりも下方の位置に配置されている場合に、前記アイポイントから前記虚像の下端までの距離に比べて前記虚像の上端までの距離が大きくなる方向に傾斜している（図３（Ｂ）参照）、
ことを特徴とする車両用投影表示装置。
（７）  上記（２）に記載の車両用投影表示装置であって、
前記第２の二次元表示パネルは、透過型の表示デバイス（透過型液晶表示パネル１１Ａ）であり、
前記第２の二次元表示パネルの背面側に配置された照明用のバックライト（１２）をさらに備える（図５参照）、
ことを特徴とする車両用投影表示装置。
【符号の説明】
【００７６】
１０  ＨＵＤユニット
１１  二次元表示パネル
１１ａ  表示像
１１ｃ  回動軸
１１Ａ  透過型液晶表示パネル
１１Ｂ  自発光型表示パネル
１２  バックライト
１２ａ  照明光
１３，１６  出射光
１４  光学フィルタ
１５  反射鏡
１７  ウインドシールド
１８  視線
２０  ＨＵＤ表示領域
２０ａ  領域上端
２０ｂ  領域下端
２１  虚像
２２  虚像結像面
２２ｃ  回動軸
３０  風景
３０ａ  路面
３０ｂ  路面上の車線標示
３１  無限遠点
５１  表示制御部
５２  不揮発性メモリ
５３  モータドライバ
５４  電気モータ
５５  傾斜調整機構
１００  メータユニット
２００  カーナビゲーション装置
Ａ１，Ａ２  領域
【図１】
2016053691.tif 000003
【図２】
2016053691.tif 000004
【図３】
2016053691.tif 000005
【図４】
2016053691.tif 000006
【図５】
2016053691.tif 000007
【図６】
2016053691.tif 000008
【図７】
2016053691.tif 000009
【図８】
2016053691.tif 000010
【図９】
2016053691.tif 000011